(57)【要約】【課題】  メモリカードに記憶されたコンテンツデータを再生するテレビジョン受像機の操作性を向上させる。【解決手段】  メモリカードスロット１２５にメモリカードが装着されたことを検出したら、それによってテレビジョン受像機１００の主電源をオンにし、さらにテレビジョン受像機１００に備えられたアプリケーションによって再生できるデータコンテンツがメモリカードに記憶されているか否か判定を行って、再生可能ならアプリケーションを起動し、再生できるコンテンツデータが存在しない場合には、それを表示手段で表示するように構成した。  【選択図】図２
2006211604.tif 000002
【特許請求の範囲】
【請求項１】
メモリカードが着脱自在に装着されるカードスロットと、
このカードスロットにメモリカードが挿入された際にそれを検出する検出手段と、
この検出手段によってメモリカードが挿入されたことが検出された際に主電源をオンす
る電源制御手段と、
前記カードスロットに挿入されたメモリカード内のファイルを検索する検索手段と、
その検索手段によって特定の形式のファイルが検出された際に、当該特定形式のファイ
ルを実行するアプリケーションを自動的に立ち上げる手段を具備することを特徴とするテ
レビジョン受像機。
【請求項２】
メモリカードが着脱自在に装着されるカードスロットと、
このカードスロットにメモリカードが挿入された際にそれを検出する検出手段と、
前記カードスロットに挿入されたメモリカード内のファイルを検索する検索手段と、
その検索手段によって特定の形式のファイルが検出された際に、主電源をオンすると共
に、当該特定形式のファイルを実行するアプリケーションを自動的に立ち上げる制御手段
を具備することを特徴とするテレビジョン受像機。
【請求項３】
メモリカードが着脱自在に装着されるカードスロットと、
このカードスロットにメモリカードが装着されたこと及び装着されたメモリカードが抜
去られたことを検出する検出手段と、
この検出手段でメモリカードが抜去られたことが検出された時点から所定時間経過して
も前記カードスロットにメモリカードが装着されたことが検出されない場合に、主電源を
オフする制御手段と、
を具備したことを特徴とするテレビジョン受像機。
【請求項４】
前記制御手段は、前記所定期間経過するまでに、前記メモリカードのカードスロットへ
の装着またはその他の操作が実行された際には前記主電源のオフ処理を実行しないもので
あることを特徴とする請求項３に記載のテレビジョン受像機。
【発明の詳細な説明】
【技術分野】
【０００１】
この発明は、リムーバブルメモリカードに蓄積された画像あるいは音声等のコンテンツ
データを再生する機能をそなえたテレビジョン受像機に関し、特にメモリカードが装着さ
れたことを検出して、テレビジョン受像機の電源を自動的に立ち上げるように構成された
テレビジョン受像機に関する。
【背景技術】
【０００２】
画素数の大きな撮像素子を備えたデジタルスチルカメラが広く普及してきており、撮影
した画像データの映像を大きな表示手段で表示させたいという要望がユーザから発せられ
ている。
【０００３】
その要望を満たすため、デジタル画像データを表示する機能を備えたテレビジョン受像
機も市場に登場してきている。
【０００４】
一般的に、デジタルスチルカメラは撮影した画像データを、カメラ本体に着脱自在に装
着されるメモリカードに記録するように構成されており、テレビジョン受像機は、そのメ
モリカードを装着するスロットと、メモリカードに記録されているＪＰＥＧ(Joint Photo
graphic Experts Group)等の特定ファイルを再生して表示するためのアプリケーションを
備えている。
【０００５】
このように、デジタルスチルカメラで撮影した画像データを表示する機能を持ったテレ
ビジョン受像機においても、主体となる機能は放送番組の視聴に置かれるのが一般であり
、画像データの表示は補助的な機能として扱われ、例えば放送番組を視聴中に、メモリカ
ードをカードスロットに装着し、画像データを表示するためのアプリケーションを起動さ
せて、メモリカード内の画像データを読み出して表示させるという操作手順を踏む必要が
ある。
【０００６】
すなわち、電源立ち上げと同時に、画像データ表示モードに設定する機能を備えたテレ
ビジョン受像機は存在しないのが実状である。したがって電源がオフになっている状態の
テレビジョン受像機をデジタルスチルカメラで撮影した画像データのビューワーとして機
能させる場合には、一旦電源をオンに切換えてからメモリカードをカードスロットに装着
するか、あるいはメモリカードを装着した状態で、電源をオンに切換えた後、アプリケー
ションを起動させるという処理を行う必要があり、操作が煩雑であるという問題を有して
いた。
【０００７】
この問題を解決しようとする試みが特許文献１に開示されており、メモリカードをカー
ドスロットに装着することに連動させてテレビジョン受像機の電源を立ち上げる技術が示
されている。これによれば、操作が簡潔になるという効果を得ることができるが、さらに
、このときメモリカード内にテレビジョン受像機に搭載されたアプリケーションによって
実行することが可能なファイルが存在するか否かの判定を行って、実行可能なファイルが
存在しない場合には、テレビジョン電源の電源を立ち上げないようにすれば、使い勝手を
向上させることができる。
【特許文献１】特開２００４−３２６２５３号公報
【発明の開示】
【発明が解決しようとする課題】
【０００８】
以上説明したように、従来、メモリカードに記憶された画像データを表示させる機能を
備えたテレビジョン受像機において、メモリカードを装着することで受像機の電源を立ち
上げるように構成して、使い勝手を向上させた提案はなされているが、実際にテレビジョ
ン受像機で表示可能なファイルがメモリカードに存在するかという事も、電源立上げの条
件にしたいという要望が出されている。
【０００９】
この発明は、以上の点に鑑みてなされたものであり、電源オフ状態にあるテレビジョン
受像機のメモリカードスロットに、メモリカードが装着されたことを検出して、テレビジ
ョン受像機の電源を立ち上げる際に、テレビジョン受像機に内蔵されているアプリケーシ
ョンによって実行可能なファイルがメモリカード内に保存されているか否かということも
条件項目として加えることで、さらに使い勝手を向上させたテレビジョン受像機を提供す
ることを目的とする。
【課題を解決するための手段】
【００１０】
この発明のテレビジョン受像機は、メモリカードが着脱自在に装着されるカードスロッ
トと、このカードスロットにメモリカードが挿入された際にそれを検出する検出手段と、
この検出手段によってメモリカードが挿入されたことが検出された際に主電源をオンする
電源制御手段と、前記カードスロットに挿入されたメモリカード内のファイルを検索する
検索手段と、その検索手段によって特定の形式のファイルが検出された際に、当該特定形
式のファイルを実行するアプリケーションを自動的に立ち上げる手段を具備することを特
徴とする。
【００１１】
また、この発明のテレビジョン受像機は、メモリカードが着脱自在に装着されるカード
スロットと、このカードスロットにメモリカードが挿入された際にそれを検出する検出手
段と、前記カードスロットに挿入されたメモリカード内のファイルを検索する検索手段と
、その検索手段によって特定の形式のファイルが検出された際に、主電源をオンすると共
に、当該特定形式のファイルを実行するアプリケーションを自動的に立ち上げる制御手段
を具備することを特徴とする。
【００１２】
さらにこの発明のテレビジョン受像機は、メモリカードが着脱自在に装着されるカード
スロットと、このカードスロットにメモリカードが装着されたこと及び装着されたメモリ
カードが抜去られたことを検出する検出手段と、この検出手段でメモリカードが抜去られ
たことが検出された時点から所定時間経過しても前記カードスロットにメモリカードが装
着されたことが検出されない場合に、主電源をオフする制御手段と、を具備したことを特
徴とする。
【発明の効果】
【００１３】
本発明によれば、メモリカードを装着したことで、テレビジョン受像機の電源が立ち上
がり、さらにメモリカードにテレビジョン受像機に搭載されたアプリケーションによって
再生可能なコンテンツデータファイルが存在するか否かの判定を行って、再生可能なデー
タファイルが存在しない場合には、その旨ユーザに報知するようにしたので使い勝手が向
上するものである。
【発明を実施するための最良の形態】
【００１４】
以下、この発明に係わるテレビジョン受像機の一実施の形態について、図面を参照して
詳細に説明する。
【００１５】
図１は、この発明に係わるテレビジョン受像機の一実施の形態を示す回路ブロック図で
ある。
【００１６】
図１において、テレビジョン受像機１００は、デジタル放送を受信する機能を備えたい
わゆるデジタルテレビジョン受像機として構成されており、受信部１０１、モニタ部１０
２及び操作制御部１０３を主たる構成要素として備えている。
【００１７】
まず受信部１０１について説明する。受信部１０１は、放送受信アンテナ１０４にケー
ブルを介して接続されたアンテナ入力端子１０５を備える。アンテナ入力端子１０５は、
チューナ部１０６に接続され、チューナ部１０６では、入力された放送受信信号に対して
、復調、誤り訂正等の処理を施して、トランスポートストリーム（ＴＳ）と呼ばれる形式
のデジタルデータを生成し、デスクランブラ１０７に出力する。デスクランブラ１０７で
は、チューナ部１０６からのＴＳに視聴制限のためのスクランブルが掛けられていた場合
、そのスクランブルの解除を行ってデマルチプレクサ１０８に出力する。スクランブルが
掛けられていないＴＳについてはそのまま出力する。
【００１８】
デマルチプレクサ１０８は、デスクランブラ１０７から入力されたＴＳから、当該ＴＳ
に時分割多重化されている、複数チャンネル分の映像データ及び音声データ、電子番組ガ
イド（ＥＰＧ）データ、データ放送データ等を分離抽出して、映像データをビデオデコー
ダ１０９に導出し、音声データをオーディオデコーダ１１０に導出し、ＥＰＧデータ及び
データ放送データをデータストリーム処理部１１１に出力する。
【００１９】
ビデオデコーダ１０９は、入力された映像データに対して、ＭＰＥＧ（Moving Picture
Experts Group）２のデコード処理を施し、復号した映像データを表示制御部１１２に出
力する。
【００２０】
オーディオデコーダ１１０は入力された音声データに対してＭＰＥＧ２のデコード処理
を施し、復号した音声データをＤＡＣ（Digital Analog Converter）１１３に出力する。
【００２１】
データストリーム処理部１１１は、デマルチプレクサ１０８から導出されるＥＰＧデー
タあるいはデータ放送データを処理して、画面構成部１１４にデータを送り、画面構成部
１１４では表示画面を構築する表示用のデータを生成して表示制御部１１２に出力する。
この目的のため、データストリーム処理部１１１及び画像構成部１１４は、バス１１５を
介してメインＣＰＵ（Central Processing Unit）１１６に接続され、メインＣＰＵによ
って制御される。
【００２２】
表示制御部１１２は、ビデオデコーダ１０９の映像データと、画面構成部１１４からの
映像データとを選択的に切換えて出力したり、あるいはビデオデコーダ１０９の映像に対
して画面構成部１１４からの映像を合成して出力したりする。その切換は、操作部１０３
を介して受けるユーザの指示によって実行されるものであり、その目的のため、表示制御
部１１２は、バス１１５を介してメインＣＰＵ１１６に接続されている。
【００２３】
表示制御部１１２の出力はモニタ部１０２の映像表示部１１７に供給されて映像として
表示される。
【００２４】
また、ＤＡＣ１１３は、バス１１５を介して接続されたメインＣＰＵ１１６の制御の下
に、オーディオデコーダ１１０から供給される音声データをアナログ信号に変換してモニ
タ部１０２のスピーカ等で構成される音声出力部１１８に供給して音声として出力する。
【００２５】
メインＣＰＵ１１６は、受信部１０１全体の制御を司るものであり、バスを介してメモ
リ１１９に接続されており、このメモリ１１９に保存された各種プログラムに基づいて受
信部１０１の制御処理を実行する。また、メモリ１１９には、後述するメモリカードに格
納されたコンテンツデータファイルを処理（再生）するためのアプリケーションも格納さ
れている。ここでコンテンツとしては、デジタルスチルカメラの静止画像の他、例えば動
画像であったりあるいは音声情報報であったりすることが可能であり、アプリケーション
としてそれらコンテンツを処理することが可能なものがメモリ１１９に格納されているも
のである。
【００２６】
次に操作制御部１０３について説明する。操作制御部１０３は、サブＣＰＵ１２０を中
心にして構成され、このサブＣＰＵ１２０がメインＣＰＵ１１６に直接接続されている。
さらにサブＣＰＵ１２０には、バス１２１を介して、受光部１２２，操作部１２３，ＬＥ
Ｄ（Lighat Emitting Diode）１２４，メモリカードスロット１２５が接続されている。
【００２７】
受光部１２２は、ユーザが操作するリモートコントローラ１２６から送られるリモート
コントロール信号を受けて、それを電気信号に変換してＣＰＵ１１４に送る。操作部１２
２は、ユーザが操作する複数のスイッチで構成され、ユーザの操作に応じた信号をサブＣ
ＰＵ１１４に出力する。ＬＥＤ１２３は、インジケータとして適用されるものであり、サ
ブＣＰＵ１２０の制御の下、メモリカードスロット１２５に装着されるメモリカードに、
メモリ１１９に格納されたアプリケーションで処理可能なファイルが存在しない場合に、
点灯してそれをユーザに通知するために適用されるが、詳細は後述する。
【００２８】
メモリカードスロット１２５は、図示しないリムーバブルメモリカードが装着されるも
のであり、メモリカードと電気的に接続するためのコネクタ部と、バス１１５を介して、
コンテンツデータを導出するためのインターフェース部を備える。コネクタ部はバス１２
１を介してサブＣＰＵに接続された図示しないカード検出ピンを備えており、メモリカー
ドスロット１２５にメモリカードが装着された際に、サブＣＰＵ１２０がそれを検出する
ように構成されている。
【００２９】
さらに、テレビジョン受像機１００は、電源回路１２７を備えている。電源回路１２７
は、受信部１０１とモニタ部１０２用に供給される主電源と、操作制御部１０３に供給さ
れる待機電源の２系統の電源を出力するように構成されている。待機電源は、テレビジョ
ン受像機１００が電源オン状態であるか電源オフ状態であるかに係わらず常時出力され、
主電源は、テレビジョン受像機１００が電源オン状態で出力される電源である。
【００３０】
電源回路１２７は、バス１２１を介してサブＣＰＵ１２０に接続されており、ユーザが
リモートコントローラ１２６あるいは操作部１２３によってテレビジョン受像機１００の
電源をオンにする操作を実行した際に、あるいはアプリケーションで処理可能な画像ファ
イルが記録されたメモリカードがメモリカードスロット１２５に装着された際に、サブＣ
ＰＵ１２０によって
主電源を出力するように切換えられる。
【００３１】
メモリカードスロット１２５に装着されるメモリカードに保存されているファイルを処
理して出力する場合、メモリカード内のデータは、バス１１５を介してメインＣＰＵ１１
６に取り込まれ、ここでファイルの種類に応じたアプリケーションが起動されて処理が行
われる。
【００３２】
画像ファイルであった場合には、映像データとして画面構成部１１４及び表示制御部１
１２を介して映像表示部１１７によって映像として表示される。また、音声情報ファイル
であった場合には、ＤＡＣ１１３によってアナログ信号に変換されてから、音声出力部１
１８によって音声として出力される。
【００３３】
以上のように構成された、テレビジョン受像機１００において、メモリカードがメモリ
カードスロット１２５に装着されてからの動作を図２のフローチャートを参照して説明す
る。
【００３４】
メモリカードスロット１２５にメモリカードが挿入される（ステップＳ２０１）と、メ
モリカードスロット１２５のカード検出ピンの電位が変化する。サブＣＰＵ１２０は、そ
の電位の変化を検出してメモリカードが挿入されたことを認識する（ステップＳ２０２）
。
【００３５】
メモリカードの挿入を検出するとサブＣＰＵ１２０は電源回路１２７を制御し、テレビ
受像機１００の主電源をオンする（ステップＳ２０３）。またテレビジョン受像機１００
の主電源がオンされた後、サブＣＰＵ１２０はメインＣＰＵ１１６に対し、メモリカード
スロット１２５にカードが挿入されている旨通知する（Ｓ２０４）。
【００３６】
メモリカードが装着されたことを通知されるとメインＣＰＵ１１６はメモリカード内の
ファイルを検索し（Ｓ２０５）、アプリケーションにより再生可能なファイルがあるかど
うかを検出する（Ｓ２０６）。アプリケーションにより再生できるファイルがある場合は
、メインＣＰＵ１１６はそのファイルを再生するためのアプリケーションを起動し、メモ
リカードから読み出されたファイルを再生する（Ｓ２０７）。
【００３７】
例えば、メモリカード内に静止画（ＪＰＥＧ：Joint Photographic Experts Group）等
のファイルがあった場合は画像表示のアプリケーションを起動し、表示制御部１１２を通
して、静止画を画面に表示する。また音楽（ＭＰ３等）ファイルがあった場合は音楽再生
のアプリケーションを起動し、デコードされたデータをＤＡＣ１１３を通して音楽を再生
する。
【００３８】
また、メモリカード内にアプリケーションにより再生できるファイルがない場合はメイ
ンＣＰＵ１１６は、画像構成部１１４を駆使して、たとえば「再生できるファイルがあり
ません」等の表示を表示制御部１１７を通して行い、ユーザに通知する（Ｓ２０８)。
【００３９】
以上述べたようにサブＣＰＵ１２０によりメモリカードスロット１２５にメモリカード
の挿入が検出されたとき、サブＣＰＵ１２０はテレビジョン受像機の主電源をオンするよ
う電源回路１２７を制御し、メインＣＰＵ１１６にカードの挿入を通知する。メインＣＰ
Ｕ１１６はカード内のファイルを検索し、そのファイルを再生するためのアプリケーショ
ンを起動することで、テレビジョン受像機１００が待機電源の状態であってもメモリカー
ドを挿入することで自動的にファイルの再生を行うことができる。
【００４０】
次にこの発明に係わるテレビジョン受像機の第２の実施態様について説明する。図２に
示す第１の実施形態ではサブＣＰＵ１２０がメモリカードスロット１２１にリムーバブル
メモリカードが挿入されたことを検出するとテレビジョン受像機１００の主電源をオンす
るが、その後リムーバブルメモリカード内のファイルを検索し、アプリケーションにより
再生可能なファイルがなかった場合、テレビジョン受像機の主電源をオンするのみで、ア
プリケーションの再生は行われない。これでは主電源を立ち上げる意味がないので、リム
ーバブルメモリカード内にアプリケーションにより再生可能なファイルがある場合のみテ
レビジョン受像機１００の主電源をオンするように構成すれば、使い勝手が向上するもの
である。
【００４１】
図３に示すフローチャートを用いて、その処理を説明する。メモリカードがメモリカー
ドスロット１２５に装着される（Ｓ３０１）と、サブＣＰＵ１２０はメモリカードのメモ
リカードスロット１２５への装着を検出した（Ｓ３０２）後、メモリカード内のファイル
を検索し（Ｓ３０３）)、アプリケーションにより再生可能なファイルがあるかどうかを
判定する（Ｓ３０４）。
【００４２】
再生可能なファイルを検出するとサブＣＰＵ１２０は電源回路１２７を制御し、テレビ
ジョン受像機の主電源をオンし（Ｓ３０５)、メインＣＰＵ１１６に対し、装着されたメ
モリカード内にアプリケーションで再生可能なファイルがあることを通知する（Ｓ３０６
）。メインＣＰＵ１１６その通知を受けて、検出されたファイルを再生するためのアプリ
ケーションを起動し（Ｓ３０７）、メモリカードから読み出されたファイルを再生する。
【００４３】
再生可能なファイルがない場合は、サブＣＰＵ１２０はテレビジョン受像機の主電源は
オンせず、ＬＥＤ１１９を点灯（あるいは点滅）し（Ｓ３０８）、装着されたメモリカー
ド内にアプリケーションで再生可能なファイルがないことをユーザに通知する。
【００４４】
以上述べたようにサブＣＰＵ１２０がメモリカード内に再生可能なファイルを検出した
場合のみテレビジョン受像機の主電源をオンすることで、アプリケーションで再生するフ
ァイルがないにもかかわらずテレビジョン受像機の主電源をオンすることを回避できる。
【００４５】
この発明に係わるテレビジョン受像機１００の、第３の実施形態について述べる。第３
の実施形態では、メモリカードスロット１２５にメモリカードが挿入されたことを検出し
てテレビジョン受像機の主電源をオンした場合は、その後、メモリカードがメモリカード
スロット１２５から抜かれたのを検出することで、テレビジョン受像機の主電源をオフす
るようにしたものである。これはメモリカードを挿入することで主電源をオンした場合は
テレビ放送の視聴が目的ではなく、メモリカード内のファイルを再生することが目的であ
り、カードを抜くことで、その目的が終了したと判断し、テレビジョン受像機の主電源を
落とすというものである。
【００４６】
図４に示すフローチャートを参照して、第３の実施の形態の処理について説明する。図
４においてＳ４０１からＳ４０５及びＳ４１８の処理は、図３に示すフローチャートのＳ
３０１からＳ３０５，Ｓ３０８と同じ処理である。
【００４７】
Ｓ４０５でサブＣＰＵ１２０がテレビジョン受像機の主電源をオンした場合、サブＣＰ
Ｕ１２０はメモリカード挿入によって主電源をオンしたことを示す内部フラグを立てる(
Ｓ４０６)。メモリカードスロット１２５からメモリカードが抜かれると(Ｓ４０９)、メ
モリカードスロット１２５のカード検出ピンの電位が変化する。サブＣＰＵ１２０は、そ
の電位の変化を検出してカードが抜かれたことを認識する（Ｓ４１０）。メモリカード挿
入によって主電源をオンしたことをあらわす内部フラグが立っている場合、カードが抜か
れたときを基点にサブＣＰＵ１２０は時間を計測し始める（Ｓ４１２）。これは違うカー
ドに入れ替えてファイルを再生する場合にも、カードを抜くという動作が発生するので、
カード入れ替えのために発生した抜き去りでは主電源を落とさないように、カード抜き去
りからある程度の期間経っても新たにカード挿入が検出されない場合は主電源を落とすよ
うにするためである。
【００４８】
カードの抜き去りを検出してから一定期間経つと、ユーザがメモリカード内のファイル
を再生するという目的を終了したと判断し、サブＣＰＵ１２０は電源回路１２７を制御し
、テレビジョン受像機の主電源をオフする（Ｓ４１４）。カードの抜き去りを検出してか
ら一定期間経つ前に新たなカードが挿入されると、メインＣＰＵ１１６はメモリカード内
のファイルを検索し（Ｓ４１５）、再生可能なファイルがある場合は再生アプリケーショ
ンを立ち上げ、それを再生する（Ｓ４１６）。再生可能なファイルがない場合は表示制御
部１１２を介してユーザにそれを通知する（Ｓ４１７）。
【００４９】
以上、述べたようにメモリカードスロット１２５から、メモリカードが抜かれたことを
検出し、その後ある一定期間以上、メモリカードスロット１２５にカードが存在しない状
態が続く場合、サブＣＰＵ１２０は電源回路１２７を制御して、テレビジョン受像機１０
０の主電源を落とすことで、メモリカード内のファイル再生を終了したあと、自動的にテ
レビジョン受信機の主電源をオフすることができる。
【００５０】
次に、第５の実施形態について説明する。この実施の形態では、メモリカードスロット
１２５にメモリカードが挿入されたことを検出してテレビジョン受像機１００の主電源を
オンしたあと、メモリカードの挿抜またはメモリカード内のファイルを再生するアプリケ
ーションの操作以外の操作を行った場合、第４の実施の形態で述べたカード抜き去りから
一定期間経つとテレビジョン受像機の主電源をＯＦＦするという処理を行わないようにす
るというものである。
【００５１】
これはカードの挿抜または再生アプリケーションの操作以外の操作をするということは
テレビジョン受像機の使用目的がメモリカード内のファイルを再生することから放送番組
の視聴に変わったと考えられ、その場合、カード挿抜によって自動的にテレビジョン受像
機の主電源をオフすると視聴中に電源がオフされるなどの不都合が生じるためである。
【００５２】
図５に示すフローチャートを参照して、第５の実施の形態について説明する。図５にお
いて、Ｓ６０１からＳ６０８及びＳ６１２の処理は、図４に示すフローチャートのＳ４０
１からＳ４０８及びＳ４１８の処理と同一である。
【００５３】
リモートコントローラ１２６または操作部１２３を操作するとサブＣＰＵ１２０はその
操作内容がカード挿抜または再生アプリケーションの操作であるかどうかを判断する（Ｓ
６０９）。カード挿抜または再生アプリケーションの操作以外の操作である場合は、サブ
ＣＰＵ１２０はカード挿入によって主電源をオンしたことを示す内部フラグをマスクする
（Ｓ６１０）。したがって、それ以降一定期間以上メモリカードスロット１２５にメモリ
カードが存在しない状態が続いても電源回路１２７を自動的にオフするという制御を行わ
ない。
【００５４】
以上述べたようにカード挿抜または再生アプリケーションの操作以外の操作が行われた
場合、カード挿入によって主電源をオンしたことを示す内部フラグをマスクすることによ
り、一定期間以上カードが存在しない状態が続いても電源回路１２２を自動的にオフする
という制御は行われず、テレビ視聴中に自動的に主電源がオフされることを防ぐことがで
きる。
【００５５】
以上、述べたように、テレビジョン受像機が待機電源の状態のときにメモリカードの挿
入を検出した場合は、自動的に受信機の主電源をオンして、特定のファイルを再生するア
プリケーションを立ち上げてファイルを再生し、メモリカードにアプリケーションで再生
することが可能なファイルが存在しない場合には、その旨を報知するようにすることで、
ユーザがわざわざ主電源を立ち上げてからカードを入れるという必要がなくなる。
【００５６】
また第２の実施の形態ではサブＣＰＵ１２０がメモリカード内に再生可能なファイルを
検出した場合のみテレビジョン受像機の主電源をオンすることで、アプリケーションで再
生するファイルがないにもかかわらずテレビジョン受像機の主電源をオンすることを回避
できる。
【００５７】
さらに、第３の実施の形態では、メモリカードスロット１２５からメモリカードが抜か
れたことを検出し、その後ある一定期間以上カードが存在しない状態が続く場合、サブＣ
ＰＵ１２０によって電源回路１２２を制御して、テレビジョン受像機の主電源を落とすこ
とで、リムーバブルメモリカード内のファイル再生を終了したあと、自動的にテレビジョ
ン受信機の主電源をオフすることができる。
【００５８】
さらに第４の実施の形態では、カード挿抜または再生アプリケーションの操作以外の操
作が行われた場合、メモリカード挿入によって主電源をオンしたことを示す内部フラグを
マスクすることにより、メモリカードスロットに一定期間以上メモリカードが存在しない
状態が続いても、電源回路１２７を自動的にオフするという制御は行われず、放送番視聴
中に自動的に主電源がオフされることを防ぐことができる。
【００５９】
なお、本発明は以上説明した実施の形態に限定されるものではなく、趣旨を逸脱しない
範囲で種々変形可能である。
【図面の簡単な説明】
【００６０】
【図１】この発明に係わるテレビジョン受像機の一実施の形態を説明するために示す回路ブロック図。
【図２】この発明に係わるテレビジョン受像機の一実施の形態を説明するために示すフローチャート。
【図３】この発明に係わるテレビジョン受像機の他の実施の形態を説明するために示すフローチャート。
【図４】この発明に係わるテレビジョン受像機のさらに他の実施の形態を説明するために示すフローチャート。
【図５】この発明に係わるテレビジョン受像機のさらに他の形態を説明するために示すフローチャート。
【符号の説明】
【００６１】
１００…テレビジョン受像機
１０１…受信部
１０２…モニタ部
１０３…操作制御部
１０４…アンテナ
１０５…アンテナ入力端子
１０６…チューナ部
１０７…デスクランブラ
１０８…デマルチプレクサ
１０９…ビデオデコーダ
１１０…オーディオデコーダ
１１１…データストリーム処理部
１１２…表示制御部
１１３…ＤＡＣ（デジタルアナログコンバータ）
１１４…画面構成部
１１５…バス
１１６…メインＣＰＵ
１１７…映像表示部
１１８…音声出力部
１１９…メモリ
１２０…サブＣＰＵ
１２１…バス
１２２…受光部
１２３…操作部
１２４…ＬＥＤ
１２５…メモリカードスロット
１２６…リモートコントローラ
１２７…電源回路
【図１】
2006211604.tif 000003
【図２】
2006211604.tif 000004
【図３】
2006211604.tif 000005
【図４】
2006211604.tif 000006
【図５】
2006211604.tif 000007